(57)【要約】【課題】高速な近接通信を、消費電力を抑えて行う。【解決手段】非接触通信メディア１００が、RW２００の低速通信によるポーリングに応答し、RW２００が、非接触通信メディア１００からの、ポーリングに対する応答を受信することにより、非接触通信メディア１００とRW２００との間で、低速通信を開始する。そして、RW２００が、非接触通信メディア１００との間で、低速通信が開始された後に、無線電力伝送を開始し、非接触通信メディア１００が、RW２００との間で、低速通信が開始された後に、RW２００からの送信が開始される電力を受信し、その電力によって高速通信を開始し、非接触通信メディア１００とRW２００との間で、高速通信が行われる。本発明は、例えば、大容量のデータをやりとりする近接通信に適用できる。【選択図】図１
2011186781.tif 000002
【特許請求の範囲】
【請求項１】
無線によるポーリングを行うマスタ通信装置との間で、第１の通信速度での近接通信である第１の通信を行う第１の通信手段と、
前記マスタ通信装置との間で、前記第１の通信速度より高速の第２の通信速度での近接通信である第２の通信を行う第２の通信手段と、
前記マスタ通信装置からの無線電力伝送によって送信されてくる、少なくとも、前記第２の通信を行うための電力を受信する電力受信手段と
を備え、
前記電力受信手段は、前記マスタ通信装置との間で、前記第１の通信が開始された後に、前記マスタ通信装置からの送信が開始される電力を受信し、
前記第２の通信手段は、前記電力受信手段によって受信された電力によって動作を開始し、前記マスタ通信装置との間で、前記第２の通信を開始する
通信装置。
【請求項２】
前記第１の通信手段による前記第１の通信は、前記マスタ通信装置が、前記無線電力伝送を開始する前に、前記第１の通信のRF信号をオフにすることにより終了される
請求項１に記載の通信装置。
【請求項３】
前記第１の通信は、セキュアな通信であり、
前記第１の通信手段は、前記第１の通信により、前記マスタ通信装置との間で、相互認証を行い、
前記電力受信手段は、前記第１の通信による前記相互認証の成功後に、前記マスタ通信装置からの送信が開始される電力を受信する
請求項１に記載の通信装置。
【請求項４】
無線によるポーリングを行うマスタ通信装置との間で、第１の通信速度での近接通信である第１の通信を行う第１の通信手段と、
前記マスタ通信装置との間で、前記第１の通信速度より高速の第２の通信速度での近接通信である第２の通信を行う第２の通信手段と、
前記マスタ通信装置からの無線電力伝送によって送信されてくる、少なくとも、前記第２の通信を行うための電力を受信する電力受信手段と
を備える通信装置の、
前記第１の通信手段が、前記マスタ通信装置からの前記ポーリングに応答することにより、前記マスタ通信装置の間で、前記第１の通信を開始し、
前記電力受信手段が、前記マスタ通信装置との間で、前記第１の通信が開始された後に、前記マスタ通信装置からの送信が開始される電力を受信し、
前記第２の通信手段が、前記電力受信手段によって受信された電力によって動作を開始し、前記マスタ通信装置との間で、前記第２の通信を開始する
ステップを含む通信方法。
【請求項５】
無線によるポーリングに対して応答するスレーブ通信装置との間で、第１の通信速度での近接通信である第１の通信を行う第１の通信手段と、
前記スレーブ通信装置との間で、前記第１の通信速度より高速の第２の通信速度での近接通信である第２の通信を行う第２の通信手段と、
前記スレーブ通信装置が、前記第２の通信を行うための電力を、無線電力伝送によって送信する電力送信手段と
を備え、
前記電力送信手段は、前記スレーブ通信装置との間で、前記第１の通信が開始された後に、前記無線電力伝送を開始し、
前記第２の通信手段は、前記無線電力伝送が開始された後に、前記スレーブ通信装置との間で、前記第２の通信を開始する
通信装置。
【請求項６】
前記第１の通信手段は、前記無線電力伝送を開始する前に、前記第１の通信のRF信号をオフにすることにより、前記第１の通信を終了する
請求項５に記載の通信装置。
【請求項７】
前記第１の通信は、セキュアな通信であり、
前記第１の通信手段は、前記第１の通信により、前記スレーブ通信装置との間で、相互認証を行い、
前記電力送信手段は、前記第１の通信による前記相互認証の成功後に、前記無線電力伝送を開始する
請求項５に記載の通信装置。
【請求項８】
無線によるポーリングに対して応答するスレーブ通信装置との間で、第１の通信速度での近接通信である第１の通信を行う第１の通信手段と、
前記スレーブ通信装置との間で、前記第１の通信速度より高速の第２の通信速度での近接通信である第２の通信を行う第２の通信手段と、
前記スレーブ通信装置が、前記第２の通信を行うための電力を、無線電力伝送によって送信する電力送信手段と
を備える通信装置の、
前記第１の通信手段が、前記スレーブ通信装置からの、前記ポーリングに対する応答を受信することにより、前記スレーブ通信装置の間で、前記第１の通信を開始し、
前記電力送信手段が、前記スレーブ通信装置との間で、前記第１の通信が開始された後に、前記無線電力伝送を開始し、
前記第２の通信手段が、前記無線電力伝送が開始された後に、前記スレーブ通信装置との間で、前記第２の通信を開始する
ステップを含む通信方法。
【請求項９】
無線によるポーリングに対して応答するスレーブ通信装置と、
前記ポーリングを行うマスタ通信装置と
を備え、
前記スレーブ通信装置は、
前記マスタ通信装置との間で、第１の通信速度での近接通信である第１の通信を行う第１のスレーブ通信手段と、
前記マスタ通信装置との間で、前記第１の通信速度より高速の第２の通信速度での近接通信である第２の通信を行う第２のスレーブ通信手段と、
前記マスタ通信装置からの無線電力伝送によって送信されてくる、少なくとも、前記第２の通信を行うための電力を受信する電力受信手段と
を有し、
前記電力受信手段は、前記マスタ通信装置との間で、前記第１の通信が開始された後に、前記マスタ通信装置からの送信が開始される電力を受信し、
前記第２の通信手段は、前記電力受信手段によって受信された電力によって動作を開始し、前記マスタ通信装置との間で、前記第２の通信を開始し、
前記マスタ通信装置は、
前記スレーブ通信装置との間で、前記第１の通信を行う第１のマスタ通信手段と、
前記スレーブ通信装置との間で、前記第２の通信を行う第２のマスタ通信手段と、
前記スレーブ通信装置が、前記第２の通信を行うための電力を、無線電力伝送によって送信する電力送信手段と
を有し、
前記電力送信手段は、前記スレーブ通信装置との間で、前記第１の通信が開始された後に、前記無線電力伝送を開始し、
前記第２のマスタ通信手段は、前記無線電力伝送が開始された後に、前記スレーブ通信装置との間で、前記第２の通信を開始する
通信システム。
【請求項１０】
無線によるポーリングに対して応答するスレーブ通信装置と、
前記ポーリングを行うマスタ通信装置と
を備え、
前記スレーブ通信装置は、
前記マスタ通信装置との間で、第１の通信速度での近接通信である第１の通信を行う第１のスレーブ通信手段と、
前記マスタ通信装置との間で、前記第１の通信速度より高速の第２の通信速度での近接通信である第２の通信を行う第２のスレーブ通信手段と、
前記マスタ通信装置からの無線電力伝送によって送信されてくる、少なくとも、前記第２の通信を行うための電力を受信する電力受信手段と
を有し、
前記マスタ通信装置は、
前記スレーブ通信装置との間で、前記第１の通信を行う第１のマスタ通信手段と、
前記スレーブ通信装置との間で、前記第２の通信を行う第２のマスタ通信手段と、
前記スレーブ通信装置が、前記第２の通信を行うための電力を、無線電力伝送によって送信する電力送信手段と
を有する
通信システムの、
前記第１のスレーブ通信手段が、前記マスタ通信装置からの前記ポーリングに応答し、前記第１のマスタ通信手段が、前記スレーブ通信装置からの、前記ポーリングに対する応答を受信することにより、前記スレーブ通信装置と前記マスタ通信装置との間で、前記第１の通信を開始し、
前記電力送信手段が、前記スレーブ通信装置との間で、前記第１の通信が開始された後に、前記無線電力伝送を開始し、
前記電力受信手段が、前記マスタ通信装置との間で、前記第１の通信が開始された後に、前記マスタ通信装置からの送信が開始される電力を受信し、
前記第２のスレーブ通信手段が、前記電力受信手段によって受信された電力によって動作を開始し、前記スレーブ通信装置と前記マスタ通信装置との間で、前記第２の通信を開始する
ステップを含む通信方法。
【発明の詳細な説明】
【技術分野】
【０００１】
本発明は、通信装置、通信方法、及び、通信システムに関し、特に、例えば、高速な近接通信を、消費電力を抑えて行うことができるようにする通信装置、通信方法、及び、通信システムに関する。
【背景技術】
【０００２】
近年、IC(Integrated Circuit)カード等を用いて、近距離で非接触により無線通信を行う近接通信が、例えば、電子定期券や、電子マネー等で利用されており、また、近接通信を利用した電子定期券や、電子マネーの機能を有する携帯電話機が広く普及してきている。
【０００３】
近接通信は、例えば、ISO/IEC 14443や、ISO/IEC 18092（以下、NFC(Near Field Communication)ともいう)として規格化されている。
【０００４】
NFCの規格に準拠した通信を行う通信方式としては、例えば、タイプA、タイプB、タイプCと呼ばれている通信方式がある。
【０００５】
例えば、本件出願人であるソニー株式会社のFeliCa（登録商標）と呼ばれるICカードシステムでは、タイプCが採用されている。
【０００６】
ところで、例えば、上述のタイプCでは、13.56MHzのキャリアが採用され、212kbps(kilo bit per second)や、424kbpsの通信速度で、近接通信が行われる。
【０００７】
また、タイプA及びBでは、タイプCよりも低速である106kbpsの通信速度で、近接通信が行われる。
【０００８】
以上のように、NFCの通信速度は、数百kbps程度で、低速であるため、例えば、画像のコンテンツ等の大容量のデータの伝送に適切であるとは、いえない。
【０００９】
一方、NFCでは、ICカードをRW(Reader/Writer)かざすだけで、通信相手を特定し、相互認証を行うことができる。
【００１０】
そこで、最初に、NFCで通信を開始し、その後、通信速度がNFCよりも高速な、例えば、無線LANや、Bluetooth（登録商標）等の高速通信に、通信方式を切り替えるハンドオーバが提案されている（例えば、特許文献１を参照）。
【先行技術文献】
【特許文献】
【００１１】
【特許文献１】特開2009-218845号公報
【発明の概要】
【発明が解決しようとする課題】
【００１２】
ところで、最近では、NFCよりも高速な通信速度での近接通信が普及しつつある。そのような高速な近接通信の通信方式としては、例えば、TransferJet（登録商標）がある。
【００１３】
TransferJet（登録商標）では、4.48GHzのキャリアが採用され、最高で、560Mbpsの通信速度で、近接通信が行われる。
【００１４】
以上のようなTransferJetを、ICカードシステムに適用することで、ICカードと、そのICカードに対するデータの読み書きを行うRWとの間では、画像のコンテンツ等の大容量のデータの伝送を、迅速に行うことができる。
【００１５】
TransferJet等の高速な近接通信の通信方式を、ICカードシステムに適用した場合、RWは、ICカードがかざされること等により近接したことを認識するために、無線によるRF(Radio Frequency)信号を出力して、ポーリングを行う必要がある。
【００１６】
しかしながら、高速な近接通信を行うRWでは、高速な動作が要求されるため、低速な近接通信を行う場合に比較して、消費電力が大になる。
【００１７】
そして、RWにおいて、ICカードが近接しておらず、したがって、ICカードとの間でデータのやりとりが行われていないとき、つまり、ポーリングが行われているだけのときにも、そのような大きな電力が消費されることは、RWでの平均的な消費電力が大になる。
【００１８】
本発明は、このような状況に鑑みてなされたものであり、高速な近接通信を、消費電力を抑えて行うことができるようにするものである。
【課題を解決するための手段】
【００１９】
本発明の第１の側面の通信装置は、無線によるポーリングを行うマスタ通信装置との間で、第１の通信速度での近接通信である第１の通信を行う第１の通信手段と、前記マスタ通信装置との間で、前記第１の通信速度より高速の第２の通信速度での近接通信である第２の通信を行う第２の通信手段と、前記マスタ通信装置からの無線電力伝送によって送信されてくる、少なくとも、前記第２の通信を行うための電力を受信する電力受信手段とを備え、前記電力受信手段は、前記マスタ通信装置との間で、前記第１の通信が開始された後に、前記マスタ通信装置からの送信が開始される電力を受信し、前記第２の通信手段は、前記電力受信手段によって受信された電力によって動作を開始し、前記マスタ通信装置との間で、前記第２の通信を開始する通信装置である。
【００２０】
本発明の第１の側面の通信方法は、無線によるポーリングを行うマスタ通信装置との間で、第１の通信速度での近接通信である第１の通信を行う第１の通信手段と、前記マスタ通信装置との間で、前記第１の通信速度より高速の第２の通信速度での近接通信である第２の通信を行う第２の通信手段と、前記マスタ通信装置からの無線電力伝送によって送信されてくる、少なくとも、前記第２の通信を行うための電力を受信する電力受信手段とを備える通信装置の、前記第１の通信手段が、前記マスタ通信装置からの前記ポーリングに応答することにより、前記マスタ通信装置の間で、前記第１の通信を開始し、前記電力受信手段が、前記マスタ通信装置との間で、前記第１の通信が開始された後に、前記マスタ通信装置からの送信が開始される電力を受信し、前記第２の通信手段が、前記電力受信手段によって受信された電力によって動作を開始し、前記マスタ通信装置との間で、前記第２の通信を開始するステップを含む通信方法である。
【００２１】
以上のような第１の側面においては、前記マスタ通信装置との間で、前記第１の通信が開始された後に、前記マスタ通信装置からの送信が開始される電力が受信され、第１の通信手段が、その電力によって動作を開始し、前記マスタ通信装置との間で、前記第２の通信を開始する。
【００２２】
本発明の第２の側面の通信装置は、無線によるポーリングに対して応答するスレーブ通信装置との間で、第１の通信速度での近接通信である第１の通信を行う第１の通信手段と、前記スレーブ通信装置との間で、前記第１の通信速度より高速の第２の通信速度での近接通信である第２の通信を行う第２の通信手段と、前記スレーブ通信装置が、前記第２の通信を行うための電力を、無線電力伝送によって送信する電力送信手段とを備え、前記電力送信手段は、前記スレーブ通信装置との間で、前記第１の通信が開始された後に、前記無線電力伝送を開始し、前記第２の通信手段は、前記無線電力伝送が開始された後に、前記スレーブ通信装置との間で、前記第２の通信を開始する通信装置である。
【００２３】
本発明の第２の側面の通信方法は、無線によるポーリングに対して応答するスレーブ通信装置との間で、第１の通信速度での近接通信である第１の通信を行う第１の通信手段と、前記スレーブ通信装置との間で、前記第１の通信速度より高速の第２の通信速度での近接通信である第２の通信を行う第２の通信手段と、前記スレーブ通信装置が、前記第２の通信を行うための電力を、無線電力伝送によって送信する電力送信手段とを備える通信装置の、前記第１の通信手段が、前記スレーブ通信装置からの、前記ポーリングに対する応答を受信することにより、前記スレーブ通信装置の間で、前記第１の通信を開始し、前記電力送信手段が、前記スレーブ通信装置との間で、前記第１の通信が開始された後に、前記無線電力伝送を開始し、前記第２の通信手段が、前記無線電力伝送が開始された後に、前記スレーブ通信装置との間で、前記第２の通信を開始するステップを含む通信方法である。
【００２４】
以上のような第２の側面においては、前記スレーブ通信装置との間で、前記第１の通信が開始された後に、前記無線電力伝送が開始され、前記第２の通信手段は、前記無線電力伝送が開始された後に、前記スレーブ通信装置との間で、前記第２の通信を開始する。
【００２５】
本発明の第３の側面の通信システムは、無線によるポーリングに対して応答するスレーブ通信装置と、前記ポーリングを行うマスタ通信装置とを備え、前記スレーブ通信装置は、前記マスタ通信装置との間で、第１の通信速度での近接通信である第１の通信を行う第１のスレーブ通信手段と、前記マスタ通信装置との間で、前記第１の通信速度より高速の第２の通信速度での近接通信である第２の通信を行う第２のスレーブ通信手段と、前記マスタ通信装置からの無線電力伝送によって送信されてくる、少なくとも、前記第２の通信を行うための電力を受信する電力受信手段とを有し、前記電力受信手段は、前記マスタ通信装置との間で、前記第１の通信が開始された後に、前記マスタ通信装置からの送信が開始される電力を受信し、前記第２の通信手段は、前記電力受信手段によって受信された電力によって動作を開始し、前記マスタ通信装置との間で、前記第２の通信を開始し、前記マスタ通信装置は、前記スレーブ通信装置との間で、前記第１の通信を行う第１のマスタ通信手段と、前記スレーブ通信装置との間で、前記第２の通信を行う第２のマスタ通信手段と、前記スレーブ通信装置が、前記第２の通信を行うための電力を、無線電力伝送によって送信する電力送信手段とを有し、前記電力送信手段は、前記スレーブ通信装置との間で、前記第１の通信が開始された後に、前記無線電力伝送を開始し、前記第２のマスタ通信手段は、前記無線電力伝送が開始された後に、前記スレーブ通信装置との間で、前記第２の通信を開始する通信システムである。
【００２６】
本発明の第３の側面の通信方法は、無線によるポーリングに対して応答するスレーブ通信装置と、前記ポーリングを行うマスタ通信装置とを備え、前記スレーブ通信装置は、前記マスタ通信装置との間で、第１の通信速度での近接通信である第１の通信を行う第１のスレーブ通信手段と、前記マスタ通信装置との間で、前記第１の通信速度より高速の第２の通信速度での近接通信である第２の通信を行う第２のスレーブ通信手段と、前記マスタ通信装置からの無線電力伝送によって送信されてくる、少なくとも、前記第２の通信を行うための電力を受信する電力受信手段とを有し、前記マスタ通信装置は、前記スレーブ通信装置との間で、前記第１の通信を行う第１のマスタ通信手段と、前記スレーブ通信装置との間で、前記第２の通信を行う第２のマスタ通信手段と、前記スレーブ通信装置が、前記第２の通信を行うための電力を、無線電力伝送によって送信する電力送信手段とを有する通信システムの、前記第１のスレーブ通信手段が、前記マスタ通信装置からの前記ポーリングに応答し、前記第１のマスタ通信手段が、前記スレーブ通信装置からの、前記ポーリングに対する応答を受信することにより、前記スレーブ通信装置と前記マスタ通信装置との間で、前記第１の通信を開始し、前記電力送信手段が、前記スレーブ通信装置との間で、前記第１の通信が開始された後に、前記無線電力伝送を開始し、前記電力受信手段が、前記マスタ通信装置との間で、前記第１の通信が開始された後に、前記マスタ通信装置からの送信が開始される電力を受信し、前記第２のスレーブ通信手段が、前記電力受信手段によって受信された電力によって動作を開始し、前記スレーブ通信装置と前記マスタ通信装置との間で、前記第２の通信を開始するステップを含む通信方法である。
【００２７】
以上のような第３の側面においては、前記電力送信手段が、前記スレーブ通信装置との間で、前記第１の通信が開始された後に、前記無線電力伝送を開始し、前記電力受信手段が、前記マスタ通信装置との間で、前記第１の通信が開始された後に、前記マスタ通信装置からの送信が開始される電力を受信する。そして、前記第２のスレーブ通信手段が、前記電力受信手段によって受信された電力によって動作を開始し、前記スレーブ通信装置と前記マスタ通信装置との間で、前記第２の通信が開始される。
【００２８】
なお、通信装置や通信システムは、独立した装置であっても良いし、１つの装置を構成している内部ブロックであっても良い。
【発明の効果】
【００２９】
本発明の第１ないし第３の側面によれば、高速な近接通信を、消費電力を抑えて行うことができる。
【図面の簡単な説明】
【００３０】
【図１】本発明を適用した通信システムの一実施の形態の構成例を示すブロック図である。
【図２】非接触通信メディア１００の構成例を示すブロック図である。
【図３】RW２００の構成例を示すブロック図である。
【図４】非接触通信メディア１００の構成例を示す平面図である。
【図５】非接触通信メディア１００の構成例を示す断面図である。
【図６】RW２００、及び、上位機器２９０の処理を説明する図である。
【図７】非接触通信メディア１００、RW２００、及び、上位機器２９０の処理を説明する図である。
【図８】非接触通信メディア１００、及び、RW２００の処理を説明する図である。
【図９】非接触通信メディア１００、RW２００、及び、上位機器２９０の処理を説明する図である。
【図１０】非接触通信メディア１００、及び、RW２００の処理を説明する図である。
【図１１】RW２００の処理を説明するフローチャートである。
【図１２】RW２００の処理を説明するフローチャートである。
【図１３】RW２００の処理を説明するフローチャートである。
【図１４】RW２００の処理を説明するフローチャートである。
【図１５】RW２００の処理を説明するフローチャートである。
【図１６】非接触通信メディア１００の処理を説明するフローチャートである。
【図１７】非接触通信メディア１００の処理を説明するフローチャートである。
【発明を実施するための形態】
【００３１】
［本発明を適用した通信システムの一実施の形態］
【００３２】
図１は、本発明を適用した通信システム（システムとは、複数の装置が論理的に集合した物をいい、各構成の装置が、同一筐体中にあるか否かは、問わない）の一実施の形態の構成例を示すブロック図である。
【００３３】
図１において、通信システムは、非接触通信メディア１００，ＲＷ２００、及び、上位機器２９０を有する。
【００３４】
非接触通信メディア１００は、例えば、現在流通しているクレジットカード程度のサイズのカード型の記憶メディアであり、RW２００との間で、近接通信を行うことにより、データのやりとりを行う。
【００３５】
RW２００は、非接触通信メディア１００との間で、近接通信を行い、上位機器２９０からの制御に従い、非接触通信メディア１００に、データを記憶させ（書き込み）、また、非接触通信メディア１００からデータを読み出す。
【００３６】
上位機器２９０は、例えば、PC(Personal Computer)や、TV（テレビジョン受像機）、レコーダ等の、画像（静止画、動画）や、音楽、プログラム等のコンテンツ等のデータの提供、又は、記憶（記録）をすることができる機器であり、RW２００を介して、非接触通信メディア１００との間で、データのやりとりを行う。
【００３７】
すなわち、上位機器２９０は、RW２００を制御して、データを、非接触通信メディア１００に記憶させ、また、データを、非接触通信メディア１００から読み出す。
【００３８】
以上のように構成される通信システムでは、RW２００（マスタ通信装置）が、上位機器２９０に装着（接続）されると、無線によるポーリングを開始する。
【００３９】
その後、非接触通信メディア１００が、RW２００にかざされること等によって、RW２００と近接した状態になると、非接触通信メディア１００（スレーブ通信装置）は、RW２００からの、無線によるポーリングに対して応答し、これにより、非接触通信メディア１００とRW２００とが近接通信を開始する。
【００４０】
そして、RW２００は、上位機器２９０の制御に従って、非接触通信メディア１００に、上位機器２９０から供給されるコンテンツ等のデータを記憶させ（書き込み）、又は、非接触通信メディア１００からコンテンツ等のデータを読み出して、上位機器２９０に供給する。
【００４１】
［非接触通信メディア１００の構成例］
【００４２】
図２は、図１の非接触通信メディア１００のハードウェアの構成例を示すブロック図である。
【００４３】
非接触通信メディア１００は、メディア制御用CPU(Central Processing Unit)１１０、不揮発メモリ１１１、高速通信スレーブコントローラ１１２、高速通信アンテナ１１３、アクセスLED(Light Emitting Diode)１１４、低速通信チップ１２０、低速通信アンテナ１２１、電力受信制御部１３０、電力受信アンテナ１３１、及び、位置ずれ検出LED１３２を有する。
【００４４】
メディア制御用CPU１１０は、不揮発メモリ１１１、及び、高速通信スレーブコントローラ１１２とバスを介して接続されており、不揮発メモリ１１１、及び、高速通信スレーブコントローラ１１２を制御する。
【００４５】
また、メディア制御用CPU１１０は、アクセスLED１１４と接続されており、アクセスLED１１４を制御する。
【００４６】
不揮発メモリ１１１は、大容量（例えば、6Gバイトや8Gバイト等）の、例えば、NAND型のフラッシュメモリであり、カード制御用CPU１１０の制御に従って、カード制御用CPU１１０から供給されるコンテンツ等のデータを記憶し、また、記憶しているデータを読み出して、カード制御用CPU１１０に供給する。
【００４７】
高速通信スレーブコントローラ１１２は、高速通信アンテナ１１３と接続されており、この高速通信アンテナ１１３を介して、無線により、RW２００との間で、後述する低速通信チップ１２０の通信速度（第１の通信速度）より高速の通信速度（第２の通信速度）での近接通信（第２の通信）（以下、高速通信ともいう）を行う第２のスレーブ通信手段として機能する。
【００４８】
ここで、高速通信スレーブコントローラ１１２と、RW２００との間で行われる高速通信の通信方式としては、例えば、高速な近接通信を行うことが可能なTransferJet（登録商標）を採用することができる。その他、高速通信の通信方式としては、例えば、無線LANや、ワイヤレスUSB(Universal Serial Bus)、Bluetooth（登録商標）等の高速無線通信規格に準拠した通信方式を採用することができる。
【００４９】
なお、本実施の形態では、高速通信の通信方式として、TransferJet（登録商標）を採用することとし、したがって、高速通信では、4.48GHzのキャリアで、最高で、560Mbpsの通信速度の近接通信が行われることとする。
【００５０】
アクセスLED１１４は、メディア制御用CPU１１０の制御に従って、点灯、又は、点滅し、これにより、不揮発メモリ１１１に対するアクセスが発生していることを、ユーザに知らせる。
【００５１】
低速通信チップ１２０は、低速通信アンテナ１２１と接続されており、この低速通信アンテナ１２１を介して、無線により、RW２００との間で、所定の通信速度（第１の通信速度）での近接通信（第１の通信）を行う第１のスレーブ通信手段として機能する。
【００５２】
ここで、低速通信チップ１２０がRW２００との間で行う近接通信は、高速通信スレーブコントローラ１１２が行う高速通信の通信速度よりも低速な通信速度での通信（以下、低速通信ともいう）であり、その通信方式としては、例えば、所定の通信速度での近接通信を行うことが可能なFeliCa（登録商標）を採用することができる。その他、低速通信の通信方式としては、NFC等の無線通信規格に準拠した通信方式（例えば、タイプAやB等）を採用することができる。
【００５３】
なお、本実施の形態では、低速通信の通信方式として、FeliCa（登録商標）を採用することとし、したがって、低速通信では、13.56MHzのキャリアで、212kbpsの通信速度の近接通信が行われることとする。
【００５４】
また、低速通信の通信方式として、FeliCa（登録商標）を採用する場合には、低速通信としては、セキュアな通信が可能であり、相互認証を行うことができる。
【００５５】
ここで、以上のように、低速通信チップ１２０が行う近接通信（低速通信）は、高速通信スレーブコントローラ１１２が行う近接通信（高速通信）よりも低速であるが、そのような低速な近接通信を行う低速通信チップ１２０には、高速な動作が要求されない。
【００５６】
したがって、低速通信チップ１２０の動作に必要な電力（低速通信に必要な電力）は、高速通信スレーブコントローラ１１２の動作に必要な電力（低速通信に必要な電力）に比較して小さい。
【００５７】
例えば、上述のように、低速通信の通信方式として、FeliCa（登録商標）を採用するとともに、高速通信の通信方式として、TransferJet（登録商標）を採用する場合には、FeliCa（登録商標）での通信に必要な電力は、TransferJet（登録商標）での通信に必要な電力の２桁程度小さい電力である。
【００５８】
以上のように、低速通信に必要な電力は、小さいため、低速通信チップ１２０は、低速通信アンテナ１２１で受信される、RW２００からの低速通信用のRF信号から得られる電力を電源として動作し、低速通信を行う。
【００５９】
電力受信制御部１３０は、電力受信アンテナ１３１、及び、位置ずれ検出LED１３２と接続されており、位置ずれ検出LED１３２を制御する。
【００６０】
また、電力受信制御部１３０は、電力受信アンテナ１３１を介して、RW２００からの無線電力伝送によって送信されてくる、少なくとも、高速通信を行うための電力を受信し、メディア制御用CPU１１０、不揮発メモリ１１１、及び、高速通信スレーブコントローラ１１２に供給する。
【００６１】
ここで、メディア制御用CPU１１０、不揮発メモリ１１１、及び、高速通信スレーブコントローラ１１２は、以上のように、電力受信制御部１３０から供給される電力を電源として動作し、高速通信を行う。
【００６２】
なお、電力受信制御部１３０とRW２００との間で行われる無線電力伝送の伝送方式としては、例えば、電磁誘導型を採用することができる。また、無線電力伝送の伝送方式としては、その他、例えば、磁気共鳴型等の無線電力伝送方式を採用することができる。
【００６３】
電磁誘導型による無線電力伝送は、磁気共鳴型による無線電力伝送に比較して、電力の伝送効率はよいが、アンテナの位置ずれ（電力を送信するためのアンテナと、電力を受信するためのアンテナとの位置のずれ）に弱い。逆に、磁気共鳴型による無線電力伝送は、電磁誘導型による無線電力伝送に比較して、アンテナの位置ずれに強いが、電力の伝送効率が劣る。
【００６４】
位置ずれ検出LED１３２は、電力受信制御部１３０の制御に従って、点灯、又は、点滅し、これにより、電力受信アンテナ１３１と、RW２００（の後述する電力送信アンテナ２４１）との位置関係が、高速通信を行うのに十分な電力を、電力受信制御部１３０が受信することができる位置関係になっていること、又は、そのような位置関係からずれている（位置ずれが生じている）ことを、ユーザに知らせる。
【００６５】
ここで、非接触通信メディア１００において、メディア制御用CPU(Central Processing Unit)１１０、不揮発メモリ１１１、高速通信スレーブコントローラ１１２、アクセスLED１１４、電力受信制御部１３０、及び、位置ずれ検出LED１３２は、RW２００による無線電力伝送によって送信（伝送）される電力によって動作し、低速通信チップ１２０は、RW２００からの低速通信用のRF信号から得られる電力によって動作する。
【００６６】
このため、非接触通信メディア１００は、電源（バッテリ）を有しておらず、電子定期券や電子マネー等としてのICカード（やICチップ）と同程度のサイズのカード型に（小型に）構成することができる。
【００６７】
［RW２００の構成例］
【００６８】
図３は、図１のRW２００のハードウェアの構成例を示すブロック図である。
【００６９】
RW２００は、RW制御用CPU２１０、高速通信マスタコントローラ２２０、高速通信アンテナ２２１、低速通信コントローラ２３０、低速通信アンテナ２３１、電力送信制御部２４０、及び、電力送信アンテナ２４１を有する。
【００７０】
RW制御用CPU２１０は、例えば、USB等の所定のバスを介して、上位機器２９０と接続される。
【００７１】
さらに、RW制御用CPU２１０は、高速通信マスタコントローラ２２０、及び、低速通信コントローラ２３０とバスを介して接続されており、上位機器２９０からの制御等に従い、高速通信マスタコントローラ２２０、及び、低速通信コントローラ２３０を制御する。
【００７２】
また、RW制御用CPU２１０は、電力送信制御部２４０と１本の汎用I/O(Input/Output)（インターフェース）で接続されており、電力送信制御部２４０を制御する。
【００７３】
高速通信マスタコントローラ２２０は、高速通信アンテナ２２１と接続されており、この高速通信アンテナ２２１を介して、無線により、非接触通信メディア１００（図２）の高速通信スレーブコントローラ１１２との間で、高速通信としての近接通信を行う第２のマスタ通信手段として機能する。
【００７４】
低速通信コントローラ２３０は、低速通信アンテナ２３１と接続されており、この低速通信アンテナ２３１を介して、無線により、非接触通信メディア１００（図２）の低速通信チップ１２０との間で、低速通信としての近接通信を行う第１のマスタ通信手段として機能する。
【００７５】
すなわち、低速通信コントローラ２３０は、低速通信アンテナ２３１から、RF信号を出力し、ポーリングをかける。
【００７６】
一方、RW２００に、非接触通信メディア１００がかざされることによって、非接触通信メディア１００（の低速通信アンテナ１２１（図２））と、RW２００（の低速通信アンテナ２３１）とが近接すると、非接触通信メディア１００（図２）の低速通信チップ１２０は、RW２００の低速通信コントローラ２３０からのポーリングに対して応答するレスポンスを返す（負荷変調により送信する）。
【００７７】
RW２００の低速通信コントローラ２３０は、非接触通信メディア１００の低速通信チップ１２０からのレスポンスを受信すると、その旨を、RW制御用CPU２１０に知らせ、これにより、RW制御用CPU２１０は、非接触通信メディア１００が、RW２００に近接したことを認識する。
【００７８】
ここで、低速通信の通信方式として、例えば、上述のように、FeliCa（登録商標）を採用する場合、低速通信コントローラ２３０は、FeliCa（登録商標）のRWである。
【００７９】
電力送信制御部２４０は、電力送信アンテナ２４１と接続されており、電力送信アンテナ２４１を介して、非接触通信メディア１００が高速通信を行うのに必要な電力を、無線電力伝送によって送信する。
【００８０】
なお、RW２００が動作するのに必要な電力は、上位機器２９０、又は、図示せぬ電源から、RW２００に供給される。
【００８１】
［非接触通信メディア１００の構成例］
【００８２】
図４は、図２の非接触通信メディア１００の物理的な構成例を示す平面図であり、図５は、非接触通信メディア１００の物理的な構成例を示す断面図である。
【００８３】
非接触通信メディア１００は、図５に示すように、略長方形状のカード底部材３００と、カード上部材４００とを貼り合わせて構成される。なお、非接触通信メディア１００の厚みは、0.8mmや1.6mm程度等とすることができる。
【００８４】
ここで、図５は、非接触通信メディア１００の長手方向の断面図である。
【００８５】
カード底部材３００には、図４に示すように、高速通信アンテナ１１３、低速通信チップ１２０、低速通信アンテナ１２１、電力受信アンテナ１３１、及び、メディア制御基板３１０が配置される。
【００８６】
メディア制御基板３１０には、メディア制御用CPU１１０、不揮発メモリ１１１、高速通信スレーブコントローラ１１２、電力受信制御部１３０、アクセスLED１１４、及び、位置ずれ検出LED１３２が配置される。
【００８７】
なお、低速通信アンテナ１２１は、図４に示すように、カード底部材３００の外周の内側部分に、コイル状に配置され、低速通信チップ１２０と接続されており、低速通信チップ１２０は、メディア制御基板３１０に配置された各ブロックとは、独立して動作する。
【００８８】
また、カード底部材３００の中心部分には、図４に示すように、高速通信アンテナ１１３と、コイル状の電力受信アンテナ１３１とが配置されている。
【００８９】
以上のような高速通信アンテナ１１３、低速通信アンテナ１２１、及び、電力受信アンテナ１３１の配置によって、非接触通信メディア１００が、表側（例えば、カード上部材４００側）、及び、裏側（例えば、カード底部材３００）のうちのいずれを向けて、RW２００にかざされても、非接触通信メディア１００とRW２００との間で、低速通信、高速通信、及び、無線電力伝送を行うことができる。
【００９０】
［RW２００が、上位機器２９０に接続されたときの、RW２００、及び、上位機器２９０の処理］
【００９１】
図６は、図３のRW２００が、上位機器２９０に接続されたときの、RW２００、及び、上位機器２９０の処理を説明する図である。
【００９２】
RW２００のRW制御用CPU２１０（図３）は、例えば、いわゆるプラグアンドプレイの機能を有し、上位機器２９０と接続されると、その旨を表す挿入通知５００を、上位機器２９０に送信する。
【００９３】
上位機器２９０は、RW制御用CPU２１０からの挿入通知５００を受信し、これにより、上位機器２９０は、外部機器が接続されたこと（外部機器の挿入）を検出し、その外部機器に関する機器情報を要求する機器識別用パケット５１０を送信する。
【００９４】
RW制御用CPU２１０は、上位機器２９０からの機器識別用パケット５１０を受信し、自身の機器情報を伝えるために、その機器情報を含む機器識別応答パケット５２０を、上位機器２９０に返す。
【００９５】
ここで、機器情報としては、機器名、機器タイプ、バージョン等がある。
【００９６】
上位機器２９０は、RW制御用CPU２１０からの機器識別応答パケット５２０を受信し、その機器識別応答パケット５２０に含まれる機器情報に基づいて、外部機器が、上位機器２９０にとって取扱い可能な機器であるかどうかを判定する。
【００９７】
外部機器が、上位機器２９０にとって取扱い可能な機器でない場合、上位機器２９０は、例えば、その旨を、図示せぬディスプレイに表示して、処理を終了する。
【００９８】
外部機器が、上位機器２９０にとって取扱い可能な機器である場合、上位機器２９０は、動作を許可することを報知する動作許可パケット５３０を、RW制御用CPU２１０に送信する。
【００９９】
RW制御用CPU２１０は、上位機器２９０からの動作許可パケット５３０を受信し、この動作許可パケット５３０によって、上位機器２９０に正常に認識されたことを認識して、非接触通信メディア１００がかざされること等によって近接することを待つメディア待ち状態となる。
【０１００】
一方、上位機器２９０は、RW２００の状態を認識するために、定期的に、RW２００の状態を要求する状態確認パケット５４０を、RW２００に送信する。
【０１０１】
RW２００のRW制御用CPU２１０は、上位機器２９０からの状態確認パケット５４０を受信し、その時点で、非接触通信メディア１００が近接したことが検出（以下、メディア検出ともいう）されていない場合には、メディア検出がされていないことを表すメディアなし状態パケット５５０を、上位機器２９０に返す。
【０１０２】
上位機器２９０による状態確認パケット５４０の送信と、その状態確認パケット５４０に対する応答としての、RW制御用CPU２１０によるメディアなし状態パケット５５０の返信とは、メディア検出がされるまで、定期的に繰り返される。
【０１０３】
［上位機器２９０による動作許可パケット５３０の送信後、メディア検出がされるときまでの、非接触通信メディア１００，RW２００、及び、上位機器２９０の処理］
【０１０４】
図７は、上位機器２９０による動作許可パケット５３０の送信後、メディア検出がされるときまでの、非接触通信メディア１００，RW２００、及び、上位機器２９０の処理を説明する図である。
【０１０５】
RW２００（図３）のRW制御用CPU２１０は、上位機器２９０からの動作許可パケット５３０を受信し、メディア待ち状態となると、低速通信用のRF信号の出力（の開始）を要求する低速通信RFonコマンド６１０を、低速通信コントローラ２３０に送信する。
【０１０６】
低速通信コントローラ２３０は、RW制御用CPU２１０からの低速通信RFonコマンド６１０を受信し、その低速通信RFonコマンド６１０に従って、低速通信用のRF信号（低速通信用のキャリア）の、低速通信アンテナ２３１を介しての出力を開始する。
【０１０７】
その後、RW制御用CPU２１０は、低速通信のポーリングを行うことを要求する低速通信Polling要求コマンド６２０を、低速通信コントローラ２３０に送信する。
【０１０８】
低速通信コントローラ２３０は、RW制御用CPU２１０からの低速通信Polling要求コマンド６２０を受信し、その低速通信Polling要求コマンド６２０に応じて、ポーリングとしての低速通信Pollingパケット６２１の送信（RF信号による送信）を、低速通信アンテナ２３１を介して行う。
【０１０９】
ここで、非接触通信メディア１００が、RW２００に近接した状態にない場合、低速通信Pollingパケット６２１に対する応答は、返ってこない。
【０１１０】
そして、低速通信Pollingパケット６２１に対する応答が返ってこない場合、低速通信コントローラ２３０は、RW制御用CPU２１０からの低速通信Polling要求コマンド６２０に対する応答を、RW制御用CPU２１０に返さない。
【０１１１】
RW制御用CPU２１０は、低速通信Polling要求コマンド６２０に対する応答が返ってこない場合、低速通信Polling要求コマンド６２０を、低速通信コントローラ２３０に、定期的に送信する。
【０１１２】
これにより、低速通信コントローラ２３０では、低速通信Pollingパケット６２１が、定期的に送信される。
【０１１３】
また、図６で説明したように、上位機器２９０は、状態確認パケット５４０を、RW制御用CPU２１０に、定期的に送信するが、RW制御用CPU２１０は、低速通信Polling要求コマンド６２０に対する応答が返ってきていない場合には、状態確認パケット５４０に対する応答として、メディアなし状態パケット５５０を、上位機器２９０に返し続ける。
【０１１４】
その後、非接触通信メディア１００が、RW２００にかざされ、非接触通信メディア１００とRW２００とが近接すると、非接触通信メディア１００（図２）の低速通信チップ１２０は、低速通信Pollingパケット６２１を受信し、その低速通信Pollingパケット６２１に対する応答としての低速通信Polling返信パケット６２２を、低速通信アンテナ１２１を介して送信する。
【０１１５】
RW２００（図３）の低速通信コントローラ２３０は、非接触通信メディア１００の低速通信チップ１２０からの低速通信Polling返信パケット６２２を受信し、その低速通信Polling返信パケット６２２に応じて、メディア検出がされたことを表すメディア検出レスポンス６２３を、低速通信Polling要求コマンド６２０に対する応答として、RW制御用CPU２１０に送信する。
【０１１６】
RW制御用CPU２１０は、低速通信コントローラ２３０からのメディア検出レスポンス６２３を受信し、このメディア検出レスポンス６２３によって、メディア検出がされたことを認識する。
【０１１７】
その後、RW制御用CPU２１０は、上位機器２９０からの（最新の）状態確認パケット５４０を受信すると、その状態確認パケット５４０に対して、メディア検出がされたことを表すメディア検出パケット６３０を、上位機器２９０に返す。
【０１１８】
上位機器２９０は、RW制御用CPU２１０からのメディア検出パケット６３０を受信し、そのメディア検出パケット６３０によって、メディア検出がされたことを認識して、状態確認パケット５４０の送信を停止する。
【０１１９】
また、RW制御用CPU２１０は、低速通信コントローラ２３０からのメディア検出レスポンス６２３を受信すると、非接触通信メディア１００の不揮発メモリ１１１の容量を要求する容量確認コマンド６４０を、低速通信コントローラ２３０に送信する。
【０１２０】
低速通信コントローラ２３０は、RW制御用CPU２１０からの容量確認コマンド６４０を受信し、その容量確認コマンド６４０に応じて、不揮発メモリ１１１の容量の読み出しを要求する低速通信Readパケット６４１を、低速通信アンテナ２３１を介して送信する。
【０１２１】
非接触通信メディア１００（図２）では、低速通信チップ１２０が、低速通信コントローラ２３０からの低速通信Readパケット６４１を受信し、その低速通信Readパケット６４１に応じて、内蔵するメモリ（図示せず）に記憶されている、非接触通信メディア１００の不揮発メモリ１１１の容量のデータを読み出す。
【０１２２】
すなわち、非接触通信メディア１００（図２）の低速通信チップ１２０は、図示せぬメモリを内蔵しており、そのメモリには、非接触通信メディア１００の不揮発メモリ１１１の容量のデータが、あらかじめ書き込まれている。
【０１２３】
低速通信チップ１２０は、低速通信コントローラ２３０からの低速通信Readパケット６４１に応じて、その内蔵するメモリに記憶されている、不揮発メモリ１１１の容量のデータを読み出す。
【０１２４】
そして、低速通信チップ１２０は、不揮発メモリ１１１の容量のデータを、低速通信Readパケット６４１による読み出しの要求があったリードデータ６４２として送信する。
【０１２５】
RW２００（図３）の低速通信コントローラ２３０は、非接触通信メディア１００の低速通信チップ１２０からのリードデータ６４２を受信し、そのリードデータ６４２を、非接触通信メディア１００の不揮発メモリ１１１の容量を表す容量データ６４３として、RW制御用CPU２１０に送信する。
【０１２６】
RW制御用CPU２１０は、低速通信コントローラ２３０からの容量データ６４３を受信し、図示せぬRAM(Random Access Memory)に一時記憶させる。
【０１２７】
一方、上位機器２９０は、RW２００のRW制御用CPU２１０からのメディア検出パケット６３０を受信した後、RW２００に近接した非接触通信メディア１００が、コンテンツ等のデータを記憶することができる容量を有するかどうかを確認するために、非接触通信メディア１００の不揮発メモリ１１１の容量を要求する容量確認パケット６５０を、RW制御用CPU２１０に送信する。
【０１２８】
RW制御用CPU２１０は、上位機器２９０からの容量確認パケット６５０を受信し、その容量確認パケット６５０に対し、図示せぬRAMに記憶された容量データ６４３を、容量データ６５１として、上位機器２９０に返す。
【０１２９】
上位機器２９０は、RW制御用CPU２１０からの容量データ６４３を受信し、その容量データ６４３を参照することで、非接触通信メディア１００（の不揮発メモリ１１１）の容量を認識する。
【０１３０】
上位機器２９０は、非接触通信メディア１００の容量から、非接触通信メディア１００に対して、高速通信によって送信することができるデータの最大量、及び、非接触通信メディア１００から、高速通信によって送信されてくるデータの最大量を認識することができる。
【０１３１】
なお、非接触通信メディア１００とRW２００との間では、以上のような、非接触通信メディア１００の容量のデータのやりとりに代えて、又は、非接触通信メディア１００の容量のデータのやりとりをする直前に、相互認証を行うことができる。
【０１３２】
相互認証を行う場合においては、相互認証に成功したときのみ、その後の処理（無線電力伝送、及び、高速通信等）が行われ、相互認証に失敗したときには、その後の処理は、行われない。
【０１３３】
以上のように、相互認証を行う場合には、非接触通信メディア１００やRW２００として偽造された不正な機器と、非接触通信メディア１００、又は、RW２００との間で、コンテンツ等のデータが、高速通信によって、不正にやりとりされることを防止することができる。
【０１３４】
RW制御用CPU２１０は、低速通信コントローラ２３０からの容量データ６４３を受信した後（相互認証が行われる場合には、相互認証の成功後）、低速通信用のRF信号の出力の停止を要求する低速通信RFoffコマンド６６０を、低速通信コントローラ２３０に送信する。
【０１３５】
低速通信コントローラ２３０は、RW制御用CPU２１０からの低速通信RFoffコマンド６６０を受信し、その低速通信RFoffコマンド６６０に応じて、低速通信アンテナ２３１からの低速通信用のRF信号の出力を停止する。
【０１３６】
ここで、GHz帯の回路の製造が簡単でないこと、数100KHzないし数MHzの周波数の回路の製造は容易であること、数100KHzないし数MHzの周波数の回路を構成するためのコンデンサ等の部品は安価であり、回路のコストを抑えることができること、等の理由により、無線電力伝送のRF信号の周波数としては、例えば、数100Hzないし数MHz程度が採用される。RW２００（図３）の電力送信制御部２４０でも、そのような周波数で無線電力伝送が行われる。
【０１３７】
一方、低速通信の通信方式として、例えば、上述したように、FeliCa（登録商標）を採用する場合、キャリアの周波数は、13.56MHzであり、無線電力伝送で用いられるRF信号の周波数と近いため、FeliCa（登録商標）のキャリア、つまり、低速通信用のRF信号と、無線電力伝送で用いられるRF信号との間では、干渉を生じる。
【０１３８】
以上のように、低速通信用のRF信号と、無線電力伝送のRF信号と（の周波数）が干渉を起こすため、その干渉を防止するために、RW２００では、無線電力伝送が開始される前に、低速通信用のRF信号の出力が停止される。
【０１３９】
なお、低速通信用のRF信号、及び、無線電力伝送のRF信号それぞれとして、互いに干渉を生じない周波数のRF信号が採用される場合には、低速通信用のRF信号の出力は、停止しなくてもよい。
【０１４０】
［低速通信用のRF信号の出力の停止後、高速通信が開始されるまでの、非接触通信メディア１００、及び、RW２００の処理］
【０１４１】
図８は、低速通信用のRF信号の出力の停止後、高速通信が開始されるまでの、非接触通信メディア１００、及び、RW２００の処理を説明する図である。
【０１４２】
RW２００（図３）のRW制御用CPU２１０は、無線電力伝送の開始を指示する電力供給開始指示７００を、電力送信制御部２４０に送信する。
【０１４３】
電力送信制御部２４０は、RW制御用CPU２１０からの電力供給開始指示７００を受信し、その電力供給開始指示７００に応じて、電力送信アンテナ２４１を介して、無線電力伝送のためのRF信号の出力を開始し、これにより、非接触通信メディア１１０への無線電力伝送が開始される。
【０１４４】
以上のように、非接触通信メディア１１０（図２）の電力受信制御部１３０は、低速通信の開始後（、その低速通信が終了してから（低速通信用のRF信号の出力が停止されてから））、RW２００の電力送信制御部２４０が開始する無線電力伝送によって送信されてくる電力を、電力受信アンテナ１３１を介して受信する。
【０１４５】
そして、電力受信制御部１３０は、無線電力伝送による電力の、メディア制御用CPU１１０、不揮発メモリ１１１、及び、高速通信スレーブコントローラ１１２への供給（電力供給）を開始する。
【０１４６】
メディア制御用CPU１１０、不揮発メモリ１１１、及び、高速通信スレーブコントローラ１１２は、電力受信制御部１３０からの電力を電源として、動作を開始する。
【０１４７】
ここで、非接触通信メディア１００（図２）において、電力受信制御部１３０は、無線電力伝送による電力の強度（大きさ）に応じて、位置ずれ検出LED１３２を制御する。
【０１４８】
位置ずれ検出LED１３２は、電力受信制御部１３０の制御に従って点灯等する。
【０１４９】
すなわち、位置ずれ検出LED１３２は、無線電力伝送による電力の強度が強いほど、明るく発光する。あるいは、位置ずれ検出LED１３２は、例えば、所定の３色のうちの、無線電力伝送による電力の強度に対応する色で発光する。
【０１５０】
したがって、非接触通信メディア１００を、RW２００にかざしているユーザは、位置ずれ検出LED１３２の発光状態を見ることによって、非接触通信メディア１００が受信している電力の強度、ひいては、非接触通信メディア１００をかざしている位置が、非接触通信メディア１００で十分な電力を受信するのに適切な位置からずれているかどうかを認識することができる。
【０１５１】
なお、RW２００からの無線電力伝送によって送信されてくる電力は、メディア制御用CPU１１０、不揮発メモリ１１１、及び、高速通信スレーブコントローラ１１２の他、アクセスLED１１４、電力受信制御部１３０、及び、位置ずれ検出LED１３２でも使用される。
【０１５２】
一方、RW２００（図３）のRW制御用CPU２１０は、上述のように、電力供給開始指示７００を送信した後、高速通信マスタコントローラ２２０の初期化を要求する初期化コマンド７２０を、高速通信マスタコントローラ２２０に送信する。
【０１５３】
高速通信マスタコントローラ２２０は、RW制御用CPU２１０からの初期化コマンド７２０を受信し、その初期化コマンド７２０に応じて、必要な初期化を行う。
【０１５４】
さらに、その後、RW制御用CPU２１０は、高速通信を行うのに必要な情報を交換するネゴシエーションを要求するネゴシエーション開始コマンド７３０を、高速通信マスタコントローラ２２０に送信する。
【０１５５】
高速通信マスタコントローラ２２０は、RW制御用CPU２１０からのネゴシエーション開始コマンド７３０を受信し、そのネゴシエーション開始コマンド７３０に応じて、高速通信アンテナ２２１を介しての、高速通信用のRF信号の出力を開始し、高速通信を行うのに必要な情報等を要求するための、高速通信に必要な情報を含むリクエストパケット７３１を送信する。
【０１５６】
ここで、RW２００の電力送信制御部２４０が無線電力伝送を開始した直後においては、
非接触通信メディア１１０（の高速通信スレーブコントローラ１１２）は、動作は開始していても、まだ、高速通信を行うことができる状態にないため、RW２００の高速通信マスタコントローラ２２０からのリクエストパケット７３１に対する応答を返すことができない。
【０１５７】
RW２００の高速通信マスタコントローラ２２０は、リクエストパケット７３１に対する応答が返ってこない場合には、リクエストパケット７３１の送信を、周期的（定期的）に繰り返す。
【０１５８】
一方、非接触通信メディア１００（図２）のメディア制御用CPU１１０、不揮発メモリ１１１、及び、高速通信スレーブコントローラ１１２は、電力受信制御部１３０からの電力を電源として、動作を開始すると、メディア制御用CPU１１０が、不揮発メモリ１１１の初期化を要求する初期化コマンド７１０を、不揮発メモリ１１１に送信する。
【０１５９】
不揮発メモリ１１１は、メディア制御用CPU１１０からの初期化コマンド７１０を受信し、その初期化コマンド７１０に応じて、必要な初期化を行う。
【０１６０】
さらに、メディア制御用CPU１１０は、高速通信スレーブコントローラ１１２の初期化を要求する初期化コマンド７１１を、高速通信スレーブコントローラ１１２に送信する。
【０１６１】
高速通信スレーブコントローラ１１２は、メディア制御用CPU１１０からの初期化コマンド７１１を受信し、その初期化コマンド７１１に応じて、必要な初期化を行う。
【０１６２】
不揮発メモリ１１１、及び、高速通信スレーブコントローラ１１２の初期化が終了すると、メディア制御用CPU１１０は、高速通信のネゴシエーションを要求するネゴシエーション開始コマンド７４０を、高速通信スレーブコントローラ１１２に送信する。
【０１６３】
高速通信スレーブコントローラ１１２は、メディア制御用CPU１１０からのネゴシエーション開始コマンド７４０を受信し、そのネゴシエーション開始コマンド７４０に応じて、ネゴシエーションを行う。
【０１６４】
すなわち、高速通信スレーブコントローラ１１２は、メディア制御用CPU１１０からのネゴシエーション開始コマンド７４０を受信した後に、RW２００（図３）の高速通信マスタコントローラ２２０から送信されてくるリクエストパケット７３１を受信すると、そのリクエストパケット７３１に対する応答としての、必要な情報を含むレスポンスパケット７４１を返す。
【０１６５】
RW２００（図３）の高速通信マスタコントローラ２２０は、非接触通信メディア１００の高速通信スレーブコントローラ１１２からのレスポンスパケット７４１を受信し、これにより、非接触通信メディア１００の高速通信スレーブコントローラ１１２と、RW２００の高速通信マスタコントローラ２２０との間では、高速通信が可能となる。
【０１６６】
RW２００の高速通信マスタコントローラ２２０は、非接触通信メディア１００の高速通信スレーブコントローラ１１２からのレスポンスパケット７４１を受信すると、高速通信のネゴシエーションが完了したことを表すネゴシエーション完了レスポンス７５０を、RW制御用CPU２１０に返す。
【０１６７】
以上により、非接触通信メディア１００（図２）の高速通信スレーブコントローラ１１２と、RW２００（図３）の高速通信マスタコントローラ２２０とでは、高速通信のための初期化が完了するとともに、コネクション（通信リンク）が確立し、高速通信によるデータ伝送（やりとり）が可能な状態となる。
【０１６８】
［非接触通信メディア１００とRW２００との間での高速通信によるデータ伝送の処理］
【０１６９】
図９は、非接触通信メディア１００とRW２００との間での高速通信によるデータ伝送の処理を説明する図である。
【０１７０】
図８で説明したように、非接触通信メディア１００、及び、RW２００が、高速通信によるデータ伝送が可能な状態となった後、上位機器２９０は、非接触通信メディア１００（の不揮発メモリ１１１）へのアクセスを要求するデータアクセスコマンド８００を、RW２００（図３）のRW制御用CPU２１０に送信する。
【０１７１】
ここで、データアクセスコマンド８００としては、例えば、非接触通信メディア１００からのデータの読み出しを要求するデータリードコマンドと、非接触通信メディア１００へのデータの書き込み（記憶）を要求するデータライトコマンドとがある。
【０１７２】
データアクセスコマンド８００が、データリードコマンドである場合、データリードコマンドとしてのデータアクセスコマンド８００の他に、そのデータリードコマンドによって、非接触通信メディア１００からの読み出しを要求するデータを特定するための情報も送信される。
【０１７３】
また、データアクセスコマンド８００が、データライトコマンドである場合、データライトコマンドとしてのデータアクセスコマンド８００の他に、そのデータライトコマンドによって、非接触通信メディア１００に書き込むデータも送信される。
【０１７４】
RW２００（図３）のRW制御用CPU２１０は、上位機器２９０からのデータアクセスコマンド８００を受信し、そのデータアクセスコマンド８００に応じて、そのデータアクセスコマンド８００と同様の内容のデータリクエストコマンド８０１を、高速通信マスタコントローラ２２０に送信する。
【０１７５】
高速通信マスタコントローラ２２０は、RW制御用CPU２１０からのデータリクエストコマンド８０１を受信し、そのデータリクエストコマンド８０１に応じて、そのデータリクエストコマンド８０１と同様の内容の無線データリクエストコマンド８０２を、高速通信アンテナ２２１を介して送信する。
【０１７６】
非接触通信メディア１００（図２）の高速通信スレーブコントローラ１１２は、RW２００（図３）の高速通信マスタコントローラ２２０からの無線データリクエストコマンド８０２を受信し、その無線データリクエストコマンド８０２に応じて、その無線データリクエストコマンド８０２と同様の内容のデータリクエストコマンド８０３を、メディア制御用CPU１１０に送信する。
【０１７７】
メディア制御用CPU１１０は、高速通信スレーブコントローラ１１２からのデータリクエストコマンド８０３を受信し、そのデータリクエストコマンド８０３が、データの読み出し、及び、書き込みのうちのいずれを要求するコマンドであるかを判定する。
【０１７８】
そして、メディア制御用CPU１１０は、データリクエストコマンド８０３の判定結果に従い、データの読み出し、又は、書き込みを要求する不揮発メモリアクセスコマンド８１０を、不揮発メモリ１１１に送信する。
【０１７９】
なお、データリクエストコマンド８０３が、データの書き込みを要求するコマンドである場合には、書き込むべきデータも、上位機器２９０から、RW２００を経由して、非接触通信メディア１００の不揮発メモリ１１１に供給される。
【０１８０】
また、メディア制御用CPU１１０は、不揮発メモリアクセスコマンド８１０を、不揮発メモリ１１１に送信した後、不揮発メモリ１１１でのデータの読み出し、又は、書き込みが完了するまで、アクセスLED１１４を点滅等させる。
【０１８１】
これにより、非接触通信メディア１００のユーザは、非接触通信メディア１００（の不揮発メモリ１１１）に対するアクセスが行われていることを認識することができる。
【０１８２】
不揮発メモリ１１１は、メディア制御用CPU１１０からの不揮発メモリアクセスコマンド８１０に従い、データの読み出し、又は、書き込みを行う。
【０１８３】
そして、不揮発メモリ１１１は、データの読み出し、又は、書き込みが終了すると、不揮発メモリアクセスコマンド８１０に対する応答としての不揮発メモリレスポンス８１１を、メディア制御用CPU１１０に送信する。
【０１８４】
なお、不揮発メモリ１１１において、データの読み出しが行われた場合には、不揮発メモリレスポンス８１１の他、不揮発メモリ１１１から読み出されたデータも、メディア制御用CPU１１０に送信される。
【０１８５】
メディア制御用CPU１１０は、不揮発メモリ１１１からの不揮発メモリレスポンス８１１を受信し、その不揮発メモリレスポンス８１１と同様の内容の、データリクエストコマンド８０３に対する応答としてのデータレスポンス８２０を、高速通信スレーブコントローラ１１２に返す。
【０１８６】
高速通信スレーブコントローラ１１２は、メディア制御用CPU１１０からのデータレスポンス８２０を受信し、そのデータレスポンス８２０と同様の内容の、無線データリクエストコマンド８０２に対する応答としての無線データレスポンス８２１を、高速通信アンテナ１１３を介して送信する。
【０１８７】
RW２００（図３）の高速通信マスタコントローラ２２０は、非接触通信メディア１００の高速通信スレーブコントローラ１１２からの無線データレスポンス８２１を受信し、その無線データレスポンス８２１と同様の内容の、データリクエストコマンド８０１に対する応答としてのデータレスポンス８２２を、RW制御用CPU２１０に返す。
【０１８８】
RW制御用CPU２１０は、高速通信マスタコントローラ２２０からのデータレスポンス８２２を受信し、そのデータレスポンス８２２と同様の内容の、データアクセスコマンド８００に対する応答としてのデータアクセスレスポンス８３０を、上位機器２９０に返す。
【０１８９】
なお、図９の処理は、例えば、非接触通信メディア１００に対する必要なデータすべての読み出し、又は、書き込みが完了するまで、繰り返し行われる。
【０１９０】
［非接触通信メディア１００とRW２００とが近接しなくなった場合のRW２００の処理］
【０１９１】
図１０は、非接触通信メディア１００とRW２００とが近接している状態から、近接しない状態になった場合のRW２００の処理を説明する図である。
【０１９２】
非接触通信メディア１００とRW２００とが近接しなくなると、RW２００（図３）の電力送信制御部２４０による無線電力伝送による電力の送信が、十分に行われなくなる。
【０１９３】
その結果、非接触通信メディア１００（図２）の電力受信制御部１３０は、メディア制御用CPU１１０、不揮発メモリ１１１、及び、高速通信スレーブコントローラ１１２に、必要な電力を供給することができなくなり、メディア制御用CPU１１０、不揮発メモリ１１１、高速通信スレーブコントローラ１１２、及び、電力受信制御部１３０は、動作を停止する。
【０１９４】
したがって、非接触通信メディア１００とRW２００との間の高速通信のコネクション（通信リンク）は切断される。
【０１９５】
このため、RW２００（図３）の高速通信マスタコントローラ２２０が、無線データリクエストコマンド８０２（図９）等の無線パケット９００を、高速通信アンテナ２２１を介して送信しても、その無線パケット９００に対する応答は、非接触通信メディア１００（図２）の高速通信スレーブコントローラ１１２から返ってこなくなる。
【０１９６】
以上のように、RW２００の高速通信マスタコントローラ２２０に対して、無線パケット９００に対する応答が、非接触通信メディア１００の高速通信スレーブコントローラ１１２から返ってこなくなることによって、RW２００の高速通信マスタコントローラ２２０は、非接触通信メディア１００との間の高速通信のコネクションが切断されたことを検出する。
【０１９７】
RW２００（図３）の高速通信マスタコントローラ２２０は、非接触通信メディア１００との間の高速通信のコネクションが切断されたことを検出すると、その旨を表す高速通信切断検出レスポンス９１０を、RW制御用CPU２１０に送信する。
【０１９８】
RW制御用CPU２１０は、高速通信マスタコントローラ２２０からの高速通信切断検出レスポンス９１０を受信し、その高速通信切断検出レスポンス９１０に応じて、高速通信の停止を要求する高速通信停止コマンド９２０を、高速通信マスタコントローラ２２０に送信する。
【０１９９】
高速通信マスタコントローラ２２０は、RW制御用CPU２１０からの高速通信停止コマンド９２０を受信し、その高速通信停止コマンド９２０に応じて、高速通信用のRF信号の出力を停止する（高速通信を終了する）。
【０２００】
さらに、RW制御用CPU２１０は、無線電力伝送の停止を要求する電力送信停止コマンド９３０を、電力送信制御部２４０に送信する。
【０２０１】
電力送信制御部２４０は、RW制御用CPU２１０からの電力送信停止コマンド９３０を受信し、その電力送信停止コマンド９３０に応じて、無線電力伝送を停止する。
【０２０２】
その後、RW制御用CPU２１０は、図７で説明した、上位機器２９０から動作許可パケット５３０を受信した場合と同様に、メディア待ち状態となり、低速通信用のRF信号の出力（の開始）を要求する低速通信RFonコマンド９４０を、低速通信コントローラ２３０に送信する。
【０２０３】
低速通信コントローラ２３０は、RW制御用CPU２１０からの低速通信RFonコマンド９４０を受信すると、図７で説明した場合と同様に、その低速通信RFonコマンド９４０に従って、低速通信用のRF信号の出力を開始する。
【０２０４】
さらに、RW制御用CPU２１０は、低速通信のポーリングを行うことを要求する低速通信Polling要求コマンド９５０を、低速通信コントローラ２３０に送信する。
【０２０５】
低速通信コントローラ２３０は、RW制御用CPU２１０からの低速通信Polling要求コマンド９５０を受信すると、図７で説明した場合と同様に、その低速通信Polling要求コマンド９５０に応じて、ポーリングとしての低速通信Pollingパケット６２１を送信する。
【０２０６】
そして、非接触通信メディア１００が、RW２００にかざされること等によって、非接触通信メディア１００とRW２００とが近接すると、以下、同様の処理が繰り返される。
【０２０７】
以上のように、非接触通信メディア１００の低速通信チップ１２０が、RW２００の低速通信コントローラ２３０からのポーリングに応答し、RW２００の低速通信コントローラ２３０が、非接触通信メディア１００の低速通信チップ１２０からの、ポーリングに対する応答を受信することにより、非接触通信メディア１００とRW２００との間で、低速通信を開始する。
【０２０８】
さらに、RW２００の電力送信制御部２４０が、非接触通信メディア１００との間で、低速通信が開始された後に、無線電力伝送を開始し、非接触通信メディア１００の電力受信制御部１３０が、RW２００との間で、低速通信が開始された後に、RW２００からの送信が開始される電力を受信し、非接触通信メディア１００の高速通信スレーブコントローラ１１３が、非接触通信メディア１００の電力受信制御部１３０によって受信された電力によって動作を開始し、非接触通信メディア１００とRW２００との間で、高速通信を開始する。
【０２０９】
したがって、RW２００は、ポーリングを、低速通信で行い、非接触通信メディア１００がRW２００に近接することにより、RW２００のポーリングに対して、非接触通信メディア１００からの応答があった後に、RW２００から非接触メディア１００に対して、高速通信に必要な電力を供給する無線電力伝送が開始され、さらに、非接触通信メディア１００とRW２００との間で、高速通信が開始されるので、低速通信が行われない場合に比較して、消費電力を抑えて、高速通信を行うことが可能となる。
【０２１０】
すなわち、低速通信を行わない場合には、RW２００は、ポーリングを、高速通信で行う必要があり、そのような高速通信によるポーリングを行うRW２００では、高速な動作が要求されるため、非接触通信メディア１００がRW２００に近接するのを待っている間（メディア待ち状態の間）の消費電力が大になる。
【０２１１】
これに対して、ポーリングを、低速通信で行う場合には、低速通信によるポーリングを行うRW２００では、高速な動作が要求されず、したがって、非接触通信メディア１００がRW２００に近接するのを待っている間の消費電力を抑えることができる。
【０２１２】
その結果、高速通信を、消費電力を抑えて行うことができる。
【０２１３】
また、低速通信は、RW２００が、無線電力伝送を開始する前に、低速通信のRF信号をオフにする（RF信号の出力を停止する）ことにより終了することができ、この場合、低速通信のRF信号、及び、無線電力伝送のRF信号それぞれとして、干渉が生じる周波数帯域のRF信号を使用しても、干渉を防止することができる。
【０２１４】
さらに、低速通信としては、例えば、FeliCa（登録商標）等のセキュアな通信を採用し、そのセキュアな通信である低速通信により、非接触通信メディア１００とRW２００との間で、相互認証を行い、その相互認証の成功後に、無線電力伝送を開始することができる。この場合、正規の非接触通信メディア１００、又は、RW２００と、不正な機器との間で、コンテンツ等のデータが、高速通信によって、不正にやりとりされることを防止することができる。
【０２１５】
［RW２００の処理］
【０２１６】
図１１ないし図１５は、図３のRW２００の処理を説明するフローチャートである。
【０２１７】
なお、図１１及び図１２のフローチャートに従った処理は、上述の図６及び図７で説明したRW２００の処理に対応し、図１３のフローチャートに従った処理は、上述の図８で説明したRW２００の処理に対応する。
【０２１８】
また、図１４のフローチャートに従った処理は、上述の図９で説明したRW２００の処理に対応し、図１５のフローチャートに従った処理は、上述の図１０で説明したRW２００の処理に対応する。
【０２１９】
RW２００が、上位機器２９０と接続され、RW２００の電源がオンにされると、図１１に示すように、ステップＳ１１において、RW２００は、上位機器とのネゴシエーション、すなわち、図６で説明した挿入通知５００や、機器識別用パケット５１０、機器識別応答パケット５２０、動作許可パケット５３０、状態確認パケット５４０のやりとり等を行い、処理は、ステップＳ１２に進む。
【０２２０】
ステップＳ１２では、RW２００は、低速通信用のRF信号の出力を開始し（RW信号をオンにし）、処理は、ステップＳ１３に進む。
【０２２１】
ステップＳ１３では、RW２００は、図７で説明したように、低速通信Pollingパケット６２１を送信して、処理は、ステップＳ１４に進む。
【０２２２】
ステップＳ１４では、RW２００は、メディア検出がされたかどうか、つまり、非接触通信メディア１００が近接したことが検出されたかどうかを判定する。
【０２２３】
ステップＳ１４において、メディア検出がされていないと判定された場合、処理は、ステップＳ１３に戻り、以下、同様の処理が繰り返される。
【０２２４】
また、ステップＳ１４において、メディア検出がされたと判定された場合、すなわち、RW２００が、非接触通信メディア１００が、RW２００に近接し、低速通信Pollingパケット６２１に対する応答としての低速通信Polling返信パケット６２２を、RW２００に返してきた場合、処理は、図１２のステップＳ２１に進む。
【０２２５】
すなわち、図１２は、図１１に続くフローチャートである。
【０２２６】
図１２のステップＳ２１では、RW２００は、図７で説明したように、低速通信Readパケット６４１を、非接触通信メディア１００に送信することで、非接触通信メディア１００の容量（不揮発メモリ１１１の容量）を取得し、処理は、ステップＳ２２に進む。
【０２２７】
ステップＳ２２では、RW２００は、低速通信用のRF信号の出力を停止し、これにより、低速通信を終了して、処理は、図１３のステップＳ３１に進む。
【０２２８】
すなわち、図１３は、図１２に続くフローチャートである。
【０２２９】
図１３のステップＳ３１では、RW２００は、図８で説明したように、無線電力伝送を開始し、処理は、ステップＳ３２に進む。
【０２３０】
ここで、RW２００において、無線電力伝送が開始されることで、非接触通信メディア１００とRW２００との間で、高速通信を行うことができるようになる。
【０２３１】
ステップＳ３２では、RW２００は、図８で説明したように、高速通信のためのネゴシエーションを行い、処理は、ステップＳ３３に進む。
【０２３２】
ステップＳ３３では、RW２００は、上位機器からコマンドが送信されてきたかどうかを判定する。
【０２３３】
ステップＳ３３において、上位機器からコマンドが送信されてきていないと判定された場合、処理は、ステップＳ３３に戻る。
【０２３４】
また、ステップＳ３３において、上位機器からコマンドが送信されてきたと判定された場合、すなわち、上位機器からRW２００に対して、図９で説明したデータアクセスコマンド８００が送信されてきた場合、処理は、図１４のステップＳ４１に進む。
【０２３５】
すなわち、図１４は、図１３に続くフローチャートである。
【０２３６】
図１４のステップＳ４１では、RW２００は、上位機器２９０からのデータアクセスコマンド８００を受信し、処理は、ステップＳ４２に進む。
【０２３７】
ステップＳ４２では、RW２００は、上位機器２９０からのデータアクセスコマンド８００に対応する無線データリクエストコマンド８０２（図９）を、高速通信で送信する。
【０２３８】
そして、非接触通信メディア１００からRW２００に対して、無線データリクエストコマンド８０２に対する応答である無線データレスポンス８２１（図９）が送信されてくるのを待って、処理は、ステップＳ４２からステップＳ４３に進み、RW２００は、その無線データレスポンス８２１を受信し、処理は、ステップＳ４４に進む。
【０２３９】
ステップＳ４４では、RW２００は、非接触通信メディア１００からの無線データレスポンス８２１に対応するデータアクセスレスポンス８３０（図９）を、ステップＳ４１で上位機器２９０から受信したデータアクセスコマンド８００に対する応答として返し、処理は、図１３のステップＳ３３に戻る。
【０２４０】
図１５は、非接触通信メディア１００とRW２００とが近接しない状態になった場合（非接触通信メディア１００がRW２００から取り外された場合）のRW２００の処理を説明するフローチャートである。
【０２４１】
非接触通信メディア１００とRW２００とが近接しなくなると、RW２００の無線電力伝送による電力の送信が、非接触通信メディア１００に対して、十分に行われなくなり、非接触通信メディア１００は、高速通信を行うことができなくなって、非接触通信メディア１００とRW２００との間の高速通信のコネクション（通信リンク）は切断される。
【０２４２】
ステップＳ５１では、RW２００は、非接触通信メディア１００との間の高速通信のコネクションが切断されたことを検出し、処理は、ステップＳ５２に進む。
【０２４３】
ステップＳ５２では、RW２００は、高速通信用のRF信号の出力を停止し（高速通信を終了し）、処理は、ステップＳ５３に進む。
【０２４４】
ステップＳ５３では、RW２００は、無線電力伝送を停止し、処理は、ステップＳ５４に進む。
【０２４５】
ステップＳ５４では、RW２００は、低速通信用のRF信号の出力を開始し、さらに、低速通信Pollingパケット６２１（図７）を送信して、処理は、図１１のステップＳ１４に戻る。
【０２４６】
［非接触通信メディア１００の処理］
【０２４７】
図１６及び図１７は、図２の非接触通信メディア１００の処理を説明するフローチャートである。
【０２４８】
なお、図１６のフローチャートに従った処理は、上述の図７で説明した非接触通信メディア１００の処理に対応し、図１７のフローチャートに従った処理は、上述の図８及び図９で説明した非接触通信メディア１００の処理に対応する。
【０２４９】
非接触通信メディア１００が、RW２００にかざされ、RW２００と近接した状態になると、図１６に示すように、ステップＳ１０１において、非接触通信メディア１００は、RW２００からの低速通信Pollingパケット６２１（図７）を受信し、処理は、ステップＳ１０２に進む。
【０２５０】
ステップＳ１０２では、非接触通信メディア１００は、RW２００からの低速通信Pollingパケット６２１に対する応答としての低速通信Polling返信パケット６２２（図７）を返し、処理は、ステップＳ１０３に進む。
【０２５１】
ステップＳ１０３では、非接触通信メディア１００は、RW２００から、不揮発メモリ１１１の容量の読み出しを要求する低速通信Readパケット６４１（図７）が送信されてくるのを待って、その低速通信Readパケット６４１を受信し、処理は、ステップＳ１０４に進む。
【０２５２】
ステップＳ１０４では、非接触通信メディア１００は、低速通信チップ１２０が内蔵する、図示せぬメモリにアクセスし、不揮発メモリ１１１の容量のデータを読み出して、処理は、ステップＳ１０５に進む。
【０２５３】
ステップＳ１０５では、非接触通信メディア１００は、不揮発メモリ１１１の容量のデータを含むリードデータ６４２（図７）を、ステップＳ１０３で受信した低速通信Readパケット６４１に対する応答として、RW２００に返す。
【０２５４】
その後、RW２００において、低速通信用のRF信号の出力が停止され、さらに、無線電力伝送が開始されるので、処理は、ステップＳ１０５からステップＳ１０６に進み、非接触通信メディア１００は、RW２００による無線電力伝送によって送信されてくる電力の受信を開始し、処理は、ステップＳ１０７に進む。
【０２５５】
ステップＳ１０７では、非接触通信メディア１００は、RW２００による無線電力伝送によって送信されてくる電力を電源として、高速通信を開始する。
【０２５６】
すなわち、図１７は、非接触通信メディア１００の高速通信の処理を説明するフローチャートである。
【０２５７】
ステップＳ１１１において、非接触通信メディア１００は、高速通信に必要なデバイス、すなわち、メディア制御用CPU１１０、不揮発メモリ１１１、及び、高速通信スレーブコントローラ１１２を初期化し、処理は、ステップＳ１１２に進む。
【０２５８】
ステップＳ１１２では、非接触通信メディア１００は、高速通信のためのネゴシエーションを行い、処理は、ステップＳ１１３に進む。
【０２５９】
ステップＳ１１３では、非接触通信メディア１００は、不揮発メモリ１１１に対するデータの読み書きを要求する無線データリクエストコマンド８０２（図９）が、RW２００から送信されてきたかどうかを判定する。
【０２６０】
ステップＳ１１３において、無線データリクエストコマンド８０２が送信されてきていないと判定された場合、処理は、ステップＳ１１３に戻る。
【０２６１】
また、ステップＳ１１３において、無線データリクエストコマンド８０２が送信されてきたと判定された場合、処理は、ステップＳ１１４に進み、非接触通信メディア１００は、RW２００からの無線データリクエストコマンド８０２を受信し、処理は、ステップＳ１１５に進む。
【０２６２】
ステップＳ１１５では、非接触通信メディア１００は、無線データリクエストコマンド８０２に応じて、不揮発メモリ１１１にアクセスし、必要なデータの読み書きを行って、処理は、ステップＳ１１６に進む。
【０２６３】
ステップＳ１１６では、非接触通信メディア１００は、ステップＳ１１４で受信した無線データリクエストコマンド８０２に対する応答である無線データレスポンス８２１を、RW２００に返す。
【０２６４】
そして、処理は、ステップＳ１１６からステップＳ１１３に戻り、以下、非接触通信メディア１００において、高速通信に必要な電力を受信することができなくなるまで、すなわち、非接触通信メディア１００とRW２００とが近接した状態でなくなるまで、ステップＳ１１３ないしＳ１１６の処理が繰り返される。一方、ステップＳ１１３において一定期間の間にＲＷ２００からコマンドが来ない場合、処理を終了するように設定してもよい。さらに、ステップＳ１１３において、無線データ転送の終了を指示するコマンドを受けた場合に、処理を終了するようにしてもよい。このようにすることで、非接触通信メディア１００とRW２００とが近接した状態であっても、必要のない時に消費電力を下げることが可能となる。
【０２６５】
なお、カード型の非接触通信メディア１００は、図２で説明したように、第１に、ギガバイトオーダ等の大容量の不揮発メモリ１１１、第２に、無線によるポーリングを行うRW２００との間で、低速の近接通信である低速通信を行う低速通信チップ１２０、第３に、RW２００との間で、低速通信より高速の近接通信である高速通信を行う高速通信スレーブコントローラ１１２、第４に、RW２００からの無線電力伝送によって送信されてくる、少なくとも、高速通信を行うための電力を受信する電力受信制御部１３０を備える。
【０２６６】
したがって、非接触通信メディア１００は、大容量、かつ、バッテリレスで非接触通信を行うカード型の可搬メディアとして機能し、RW２００にかざすだけで、そのRW２００に接続された上位機器２９０から、音楽や映画等のコンテンツの大容量のデータを読み出して保存する（書き込む）ことができる。
【０２６７】
さらに、非接触通信メディア１００は、RW２００にかざすだけで、そのRW２００に接続された上位機器２９０に、非接触通信メディア１００に記憶（保存）された音楽や映画等のコンテンツの大容量のデータを転送して再生することができる。
【０２６８】
また、低速通信チップ１２０が行う低速通信として、FeliCa（登録商標）等のセキュアな通信を採用することにより、非接触通信メディア１００に対するコンテンツの読み書きに対して、課金処理を行うことが可能となる。
【０２６９】
ここで、例えば、CD(Compact Disc),DVD(Digital Versatile Disc),BD(Blu-Ray Disc)（登録商標）等の従来の光学式メディアでは、読み取り面の傷により、アクセスが不能となることがあり、これを防止するためには、専用のケース等への保管が必須となるが、ケース含む光学式メディアの持ち運びは、不便である。
【０２７０】
また、従来の光学式メディアでは、容量が規格で定められているため、大容量化を図るには、仕様の変更を含めた変更コストがかかる。
【０２７１】
さらに、従来の光学式メディアでは、例えば、直径が１２cm等と規格で定められているため小型化が困難である。
【０２７２】
また、従来の光学式メディアについては、光学式メディアに対するデータの読み書きを行うドライブ（読み書き装置）の小型化が困難であり、このことは、特に、いわゆるネットブックと呼ばれるPC等の小型の機器に、ドライブを搭載するときに問題となる。
【０２７３】
さらに、従来の光学式メディアのドライブには、光学式メディアを回転させるための駆動部、及び、トレーを開閉するための駆動部が必要となり、コストアップ、及び、耐久性の問題がある。
【０２７４】
また、従来の光学式メディアについては、ユーザが、光学式メディアを使用するのに、ドライブのトレーの開閉を行う必要がある。すなわち、トレーを開け、光学式メディアをトレーに載せ、トレーを閉めるという３つのアクションが必要となる。
【０２７５】
さらに、従来の光学式メディアでは、データの読み書きに、光学式メディアを回転させる必要があるため、光学式メディアが停止している状態から、データの読み書きを開始するまでの初期アクセスに時間がかかる。
【０２７６】
また、シリコン系メディアである、例えば、USB（フラッシュ）メモリについては、データの読み書きに、USBメモリを、PC等のUSB端子に挿入する必要があるため、PCに不慣れな  子供やお年寄りには扱い辛い。
【０２７７】
さらに、USBメモリについては、形状、及び、容量が、規格で定められていないため、自由な形状、及び、容量の製品が存在するが、その反面、すべての年齢層を考慮した統一された使用感を提供することが困難である。
【０２７８】
また、USBメモリと同様のシリコン系メディアである、例えば、SDカード等のフラッシュデバイスでは、極端に小型化されているため、いわゆるはめ殺しでの使用が前提になっており、可搬するには小さすぎる。
【０２７９】
さらに、フラッシュデバイスは、子供やお年寄りが使うには小さすぎて不便であることがあり、電子機器に挿入する向きが決まっているので、扱い辛いことがある。
【０２８０】
また、従来の非接触ICカードでは、ギガバイトオーダの大容量のデータを扱えるものは存在しない。
【０２８１】
一方、非接触通信メディア１００では、「かざす」という１つのアクションだけで、データの読み書きを行うことができる。
【０２８２】
また、非接触通信メディア１００は、接点及び読み取り面を持たないため、傷に強く、持ち運びや保管時に、ケースが必要ない。
【０２８３】
さらに、非接触通信メディア１００では、従来の光学メディアやシリコン系メディアのように、挿入方向を気にする必要がない。
【０２８４】
また、非接触通信メディア１００に対するデータの読み書きを行うドライブとしてのRW２００には、従来の光学式メディアのドライブに必須の、上述の駆動部が必要ないので、従来の光学式メディアのドライブと比較して、小型化が可能となる、部品点数の削減によりコストダウンが可能となる、ドライブの耐久性が向上する、初期アクセスが高速になる、等の利点がある。
【０２８５】
さらに、非接触通信メディア１００は、上述のように、クレジットカード程度のサイズのカード型の形状とすることにより、フラッシュデバイスと比較して、大きすぎもせず、小さすぎもしないので、財布やカードホルダ等に入れての持ち運びが容易である。
【０２８６】
また、非接触通信メディア１００は、従来の光学メディアと比較して、不揮発メモリ１１１を変えるだけで、記憶容量を増加することが、仕様を変更することなく、容易に行うことができる。
【０２８７】
なお、非接触通信メディア１００（図２）のメディア制御用CPU１１０、及び、RW２００のRW制御用CPU２１０は、上述した各処理を、プログラムを実行することで行うが、このプログラムは、リムーバブル記録媒体からインストールすることや、インターネット上のサイトや、放送波等からダウンロードしてインストールすること等が可能である。
【０２８８】
なお、本発明の実施の形態は、上述した実施の形態に限定されるものではなく、本発明の要旨を逸脱しない範囲において種々の変更が可能である。
【符号の説明】
【０２８９】
１００  非接触通信メディア，  １１０  メディア制御用CPU，  １１１  不揮発メモリ，  １１２  高速通信スレーブコントローラ，  １１３  高速通信アンテナ，  １１４  アクセスLED，  １２０  低速通信チップ，  １２１  低速通信アンテナ，  １３０  電力受信制御部，  １３１  電力受信アンテナ，  １３２  位置ずれ検出LED，  ２００  RW，  ２１０  RW制御用CPU，  ２２０  高速通信マスタコントローラ，  ２２１  高速通信アンテナ２２１，  ２３０  低速通信コントローラ，  ２３１  低速通信アンテナ，  ２４０  電力送信制御部，  ２４１  電力送信アンテナ，  ２９０  上位機器，  ３００  カード底部材，  ３１０  メディア制御基板，  ４００  カード上部材
【図１】
2011186781.tif 000003
【図２】
2011186781.tif 000004
【図３】
2011186781.tif 000005
【図４】
2011186781.tif 000006
【図５】
2011186781.tif 000007
【図６】
2011186781.tif 000008
【図７】
2011186781.tif 000009
【図８】
2011186781.tif 000010
【図９】
2011186781.tif 000011
【図１０】
2011186781.tif 000012
【図１１】
2011186781.tif 000013
【図１２】
2011186781.tif 000014
【図１３】
2011186781.tif 000015
【図１４】
2011186781.tif 000016
【図１５】
2011186781.tif 000017
【図１６】
2011186781.tif 000018
【図１７】
2011186781.tif 000019